(57)【要約】【課題】仕上りの重厚感や高級感、更には複写や複製などの偽造を困難にさせるセキュリティ機能として、観察角度が変わることで視認可能な光沢画像を備えた印刷画像が、通常のカラーレーザプリンタのトナーのみを用いて形成可能で、その印刷画像が色彩豊富に形成された印刷物を提供するものである。【解決手段】    基材の少なくとも一部に、樹脂を含む第１の色材から成る第１の要素と、樹脂を含み、第１の色材と異なる色の第２の色材から成る第２の要素が対となった要素セットを複数配置して、第１の画像部と第２の画像部から成る印刷画像を形成し、第１の画像部と第２の画像部は、要素セットを構成する各要素の重なる領域の樹脂量が異なり、拡散反射光下で等色に形成する。【選択図】  図１
2014204408.tif 000002
【特許請求の範囲】
【請求項１】
基材の少なくとも一部に、樹脂を含む第１の色材から成る第１の要素と、前記樹脂を含み、前記第１の色材と異なる色の第２の色材から成る第２の要素が少なくとも対となった要素セットが複数配置されて、第１の画像部と第２の画像部から成る印刷画像が形成され、前記複数の要素セットは、前記第１の要素と前記第２の要素の少なくとも一部が重なる配置の要素セットを有し、前記第１の画像部と前記第２の画像部は、前記要素セットを構成する各要素の重なる領域の樹脂量が異なり、かつ、拡散反射光下で等色に形成され、正反射光下で観察すると、前記第１の画像部と前記第２の画像部は、前記要素セットにおいて各要素の重なる領域の樹脂量の差により光沢差が生じ、区分けして視認できることを特徴とする光沢差を有する印刷物。
【請求項２】
前記複数配置される要素セットは、更に、前記樹脂を含み、前記第１の色材及び前記第２の色材と異なる色の第３の色材から成る第３の要素と、・・・、前記樹脂を含み、前記第１の色材乃至第ｎ−１の色材と異なる色の第ｎの色材（ｎは３以上の整数）から成る第ｎの要素を有し、前記第３の要素乃至前記第ｎの要素は、前記第１の画像部及び前記第２の画像部のうち、少なくとも一方の画像部に配置される前記要素セットを構成する他の要素の少なくとも一部に重なることを特徴とする請求項１記載の光沢差を有する印刷物。
【請求項３】
前記第１の画像部及び前記第２の画像部のうち、いずれか一方の画像部に配置される前記要素セットの各要素が完全に重なり、他方の画像部に配置される前記要素セットの各要素が重ならないことを特徴とする請求項１又は２記載の光沢差を有する印刷物。
【請求項４】
前記各要素は画線又は画素の少なくとも一つ、又はその組み合わせであることを特徴とする請求項１乃至３のいずれか一項に記載の光沢差を有する印刷物。
【請求項５】
前記要素セットが一定のピッチで配置されることを特徴とする請求項１乃至４のいずれか一項に記載の光沢差を有する印刷物。
【請求項６】
前記第１の画像部及び／又は前記第２の画像部に配置される前記要素セットの位相が部分的に異なることで前記印刷画像が有意味な模様を表して成ることを特徴とする請求項５に記載の光沢差を有する印刷物。
【請求項７】
前記要素セットを構成する要素と重ならない位置に、前記基材と異なる色の情報要素が複数配置され、前記複数の情報要素から成る情報画像が形成されたことを特徴とする請求項１乃至５のいずれか１項に記載の光沢差を有する印刷物。
【発明の詳細な説明】
【技術分野】
【０００１】
本発明は、印刷画像内に光沢差を設けた印刷物に係わり、観察角度の変化に応じて画像が発現する印刷物に関する。
【背景技術】
【０００２】
一般に印刷物において、仕上りの重厚感や高級感、更には複写や複製などの偽造を困難にさせるセキュリティ機能など、付加価値を与える手段として、画像全体または部分的に光沢のある印刷画像を付与し、観察角度が変わることで光沢画像を発現させる機能が用いられる。これらは、オフセット印刷やスクリーン印刷等の印刷工程においてニスインキを使用して付与することが多いが、印刷物が小部数の場合や一枚ごとに異なるパターンを付与する場合には効率的ではなく、他の印刷方法が用いられることが多い。
【０００３】
電子写真方式の印刷装置（以下、「カラーレーザプリンタ」という。）を用いて印刷画像の光沢を制御する方法として、トナー定着工程において定着温度や圧力を変化させることでトナーの光沢度合を制御する画像定着方法が開示されている（例えば、特許文献１参照。）。
【０００４】
また、透明なトナー（以下、「クリアトナー」という。）を用いることで、任意の画像の光沢パターンを付与可能な画像形成装置が開示されている（例えば、特許文献２参照。）。更に、上記以外にカラーレーザプリンタで光沢を付与する方法として、単色の黒色トナーと複数のカラートナーを混合して作製した黒色に光沢の差があることを利用した方法が開示されている（例えば、特許文献３参照）。
【先行技術文献】
【特許文献】
【０００５】
【特許文献１】特開２００７−４０３４号
【特許文献２】特開２０１１−１９７６３４
【特許文献３】特開２００８−１５１９２０号
【発明の概要】
【発明が解決しようとする課題】
【０００６】
特許文献１には、定着工程での光沢制御が可能な方法が開示されているが、印刷画像に対して全面に高光沢性や低光沢性を付与可能であり、仕上りの重厚感や高級感は得られるが、任意のパターンの光沢を付与することができないという問題がある。
【０００７】
特許文献２によると、クリアトナーを用いることにより、光沢効果の高い任意の光沢パターンが付与可能であるが、特殊なクリアトナーが必要であり、またその印刷が可能な専用の装置が必要であるという問題がある。
【０００８】
特許文献３によると、通常のカラーレーザプリンタで任意パターンの光沢画像を付与可能であるが、単色の黒色トナーと複数のカラートナーを混合して作製した黒色に光沢の差があることを利用しているため、光沢付与可能な印刷画像がブラックを主体色とした暗い画像に限定される問題がある。
【０００９】
本発明は、上記問題に鑑み、仕上りの重厚感や高級感、更には複写や複製などの偽造を困難にさせるセキュリティ機能として、観察角度が変わることで視認可能な光沢画像を備えた印刷画像が、通常のカラーレーザプリンタのトナー（シアン、マゼンタ、イエロー、ブラック等）のみを用いて形成可能で、その印刷画像が色彩豊富に形成された印刷物を提供することを目的とする。
【課題を解決するための手段】
【００１０】
本発明の光沢差を有する印刷物は、基材の少なくとも一部に、樹脂を含む第１の色材から成る第１の要素と、樹脂を含み、第１の色材と異なる色の第２の色材から成る第２の要素が少なくとも対となった要素セットが複数配置されて、第１の画像部と第２の画像部から成る印刷画像が形成され、複数の要素セットは、第１の要素と第２の要素の少なくとも一部が重なる配置の要素セットを有し、第１の画像部と第２の画像部は、要素セットを構成する各要素の重なる領域の樹脂量が異なり、かつ、拡散反射光下で等色に形成され、正反射光下で観察すると、第１の画像部と第２の画像部は、要素セットにおいて各要素の重なる領域の樹脂量の差により光沢差が生じ、区分けして視認できることを特徴とする  特徴とする。
【００１１】
また、本発明の光沢差を有する印刷物は、複数配置される要素セットは、更に、樹脂を含み、第１の色材及び第２の色材と異なる色の第３の色材から成る第３の要素と、・・・、樹脂を含み、第１の色材乃至第ｎ−１の色材と異なる色の第ｎの色材（ｎは３以上の整数）から成る第ｎの要素を有し、第３の要素乃至第ｎの要素は、第１の画像部及び第２の画像部のうち、少なくとも一方の画像部に配置される要素セットを構成する他の要素の少なくとも一部に重なることを特徴とする。
【００１２】
また、本発明の光沢差を有する印刷物は、第１の画像部及び第２の画像部のうち、いずれか一方の画像部に配置される要素セットの各要素が完全に重なり、他方の画像部に配置される要素セットの各要素が重ならないことを特徴とする。
【００１３】
また、本発明の光沢差を有する印刷物は、各要素は画線又は画素の少なくとも一つ、又はその組み合わせであることを特徴とする。
【００１４】
また、本発明の光沢差を有する印刷物は、要素セットが一定のピッチで配置されることを特徴とする。
【００１５】
また、本発明の光沢差を有する印刷物は、第１の画像部及び／又は第２の画像部に配置される要素セットの位相が部分的に異なることで印刷画像が有意味な模様を表して成ることを特徴とする。
【００１６】
また、本発明の光沢差を有する印刷物は、要素セットを構成する要素と重ならない位置に、基材と異なる色の情報要素が複数配置され、複数の情報要素から成る情報画像が形成されたことを特徴とする。
【発明の効果】
【００１７】
本発明の光沢差を有する印刷物は、拡散反射時には等色関係にあり目視による区分けが困難であるが、正反射時に光沢差により目視による区分けが可能な印刷物が、色彩豊富な印刷画像に対して形成可能であり、意匠性に優れる。また、正反射時に印刷画像の区分けが可能となることによって、真偽判別を行うことが可能である。
【００１８】
また、本発明の光沢差を有する印刷物は、特殊な材料や工程を用いることなく作製可能で、通常のオフィス用途で使用されるカラーレーザプリンタ（シアントナー、マゼンタトナー、イエロートナー、ブラックトナーの４色を搭載したプリンタ）でも形成可能であり、安価に提供することが可能となる。
【図面の簡単な説明】
【００１９】
【図１】本発明の実施の形態１における印刷物を説明するための図である。
【図２】本発明の実施の形態１における印刷物に形成された印刷画像の構成を説明する図である。
【図３】実施の形態１の印刷物の観察条件に伴う視認状態を説明するための図である。
【図４】実施の形態１における第１の画像部の構成を説明するための図である。
【図５】各要素が円形の画素の場合の大きさと、各要素の配置の例を説明する図である。
【図６】各要素が長方形の画素の場合と、直線で構成される場合の大きさを説明するための図である。
【図７】実施の形態１における第２の画像部の構成を説明するための図である。
【図８】第１の要素と第２の要素が重ならず配置された第２の画像部を説明するための図である。
【図９】第１の要素と第２の要素の別の重なり状態を説明するための図である。
【図１０】各画像部における各要素の定着前の状態を説明するための図である。
【図１１】電子写真方式の印刷機における定着方式を示す模式図である。
【図１２】各画像部における各要素の定着後の状態を説明するための図である。
【図１３】３色の色材から成る要素によって印刷画像が形成される印刷物を説明するための図である。
【図１４】第１の画像部の構成を説明するための図である。
【図１５】第１の画像部の構成を説明するための図である。
【図１６】第１の要素、第２の要素及び第３の要素が重なる状態を説明するための図である。
【図１７】第１の要素、第２の要素及び第３の要素の別の重なり状態を説明するための図である。
【図１８】実施の形態１の印刷物の観察条件に伴う視認状態を説明するための図である。
【図１９】実施の形態２における印刷物を説明するための図である。
【図２０】実施の形態２における印刷物に形成された印刷画像の構成を説明する図である。
【図２１】印刷画像に付与された有意味な画像の構成を説明するための図である。
【図２２】実施の形態２の印刷物の観察条件に伴う視認状態を説明するための図である。
【図２３】実施の形態３における印刷物を説明するための図である。
【図２４】実施の形態３における印刷物に形成された印刷画像の構成を説明する図である。
【図２５】情報画像を構成する情報要素の配置を説明するための図である。
【図２６】実施の形態３の印刷物の観察条件に伴う視認状態を説明するための図である。
【発明を実施するための形態】
【００２０】
本発明の実施形態について図面を用いて説明する。しかしながら、本発明は、以下に述べる実施するための形態に限定されるものではなく、特許請求の範囲記載における技術的思想の範囲内であれば、その他様々な形態が実施可能である。
【００２１】
はじめに、本発明における光沢差を有する印刷物（以下、「印刷物（１）」という。）の概要について説明する。図１（ａ）は、本発明における印刷物（１）の平面図である。印刷物（１）の形態の例としては、紙幣、証券、パスポート、身分証明書等の偽造防止及び複写防止対策を要する貴重印刷物等や、仕上りの重厚感や高級感を要する雑誌、広告、名刺等の印刷物がある。印刷物（１）は、基材（２）の少なくとも一部に、基材（２）と異なる色の印刷画像（３）を備えている。基材（２）は、紙、フィルム、プラスチック等を用いることができ、印刷用の色材が形成可能な平面を備えていれば、特に限定されるものではない。
【００２２】
印刷画像（３）は、図１（ｂ）の拡大図に示すように、基材（２）と異なる色の第１の色材から成る第１の要素（６）と、基材（２）及び第１の色材と異なる色の第２の色材から成る第２の要素（７）を対とする要素セット（８）が複数配置されて成り、印刷画像（３）は、図２（ａ）に示す第１の画像部（４）と図２（ｂ）に示す第２の画像部（５）から構成される。図１（ｂ）において、要素セット（８）は、第１の要素（６）と第２の要素（７）を対とする二つの要素で構成されるが、本発明の印刷物（１）において、更に、基材（２）、第１の色材及び第２の色材と異なる色の第ｎの色材（ｎは３以上の整数）から成る第ｎの要素を加えてｎ個の要素を対とする要素セット（８）としても良い。このとき、ｎ個の要素の色は全て異なる色である。
【００２３】
本発明において、第１の要素（６）乃至第ｎの要素を形成するための色材には、レーザープリンタ用のトナーが適している。カラーレーザプリンタで使用されている代表的なトナーの成分割合を示すと、８０％から９０％が樹脂成分（例えばポリエステル樹脂等）であり、着色顔料は５％から１０％程度であり、その他添加材等が配合されている。本発明の印刷物（１）に主として影響するのは樹脂成分と、着色顔料である。
【００２４】
第１の画像部（４）と第２の画像部（５）の詳細な構成については後述するが、第１の画像部（４）と第２の画像部（５）は、各画像部に配置された要素セット（８）を構成する各要素、例えば、図１（ｂ）に示す要素セット（８）の場合、第１の要素（６）と第２の要素（７）の重なる領域の樹脂量が異なり、かつ、拡散反射光下で等色に形成される。
【００２５】
本発明においては、第１の画像部（４）と第２の画像部（５）の異なる画像部に配置される要素であっても、第１の色材で形成されたものを第１の要素（６）とし、第２の色材で形成されたものを第２の要素（７）とし、第ｎの色材で形成されたものを第ｎの要素としている。本発明において、第１の画像部（４）と第２の画像部（５）が等色に形成される構成については後述するが、要素セット（８）を構成する各要素の大きさによって、各画像部が視認される色の調整が可能であり、第１の画像部（４）と第２の画像部（５）が拡散反射光下で等色であれば、第１の画像部（４）と第２の画像部（５）に配置される同じ要素同士の大きさと形状は、同じであってもよいし、異なっても良い。
【００２６】
図２に示す第１の画像部（４）は、「桜」の図柄で形成される例であるが、第１の画像部（４）は、他の図柄で形成されても良く、文字、数字、記号、図形、マーク及び模様のいずれか又はその組み合わせで形成されても良い。第２の画像部（５）は、第１の画像部（４）とネガポジ関係の画像で形成され、印刷画像（３）から第１の画像部（４）をヌキとしたものである。
【００２７】
図３（ａ）は、印刷物（１）を正面である拡散反射光下（Ｅ１）から観察した場合の図であり、図３（ｂ）は、正反射光下（Ｅ２）で観察した場合の図である。印刷物（１）を正面の拡散反射光下（Ｅ１）から観察した場合、第１の画像部（４）と第２の画像部（５）は、等色（肉眼では等色）関係にあるため、区分けされず、図３（ａ）に示すように、印刷画像（３）が一様な模様として視認される。正面の拡散反射光下（Ｅ１）から観察した場合の印刷画像（３）は、ここでは、一様な模様であるが、有意味な模様、絵柄とすることもできる。また、有意味な情報画像を別途付与してもよい。更に、印刷物（１）を正反射光下（Ｅ２）で観察した場合、第１の画像部（４）と第２の画像部（５）に光沢差が生じることで、図３（ｂ）に示すように、第１の画像部（４）と第２の画像部（５）が区分けして視認される。以下、印刷物（１）の詳細な構成について説明する。
【００２８】
（実施の形態１）
はじめに、要素セット（８）が、第１の要素（６）と第２の要素（７）を対とする二つの要素で構成される例について説明する。
（第１の画像部）
図４は、実施の形態１における印刷物（１）の第１の画像部（４）の構成を示す図である。図４（ｂ）は、図４（ａ）に示す第１の画像部（４）の一部拡大図であり、図４（ｃ）は、図４（ｂ）のＡ−Ａ’線における断面図である。
【００２９】
第１の画像部（４）は、図４（ｂ）に示すように、基材（２）と異なる色の第１の色材から成る第１の要素（６）と、基材（２）及び第１の色材と異なる色の第２の色材から成る第２の要素（７）を対とする要素セット（８）が複数配置される。
【００３０】
また、図４（ｃ）に示すように、一つの要素セット（８）において、第１の要素（６）と第２の要素（７）が重なるように形成される。図４（ｂ）及び（ｃ）では、第１の要素（６）と第２の要素（７）が完全に重なっている状態を示しているが、一部が重なる構成でも良い。また、図４（ｃ）では第１の要素（６）の上に、第２の要素（７）が重なっているが、本発明において、第１の要素（６）と第２の要素（７）の積層の上下関係に限定はない。
【００３１】
本発明において、第１の要素（６）と第２の要素（７）は、画素及び画線の一方又はその組み合わせで構成される。なお、本明細書でいう「画素」とは、印刷画像（３）を構成する最小単位である印刷網点自体か、印刷網点を複数集合させて形成した一塊の画像要素であって、例えば円、三角形や四角形等を含む多角形、星形等の各種図形、文字や記号等が含まれ、画素の形状は如何なるものであっても本発明における画素に含まれるものとする。また、本明細書でいう「画線」とは、網点を一定方向に隙間無く連続して配置して構成した画像要素であって、点線や破線の分断線、直線、曲線及び波線のことであり、如何なる画線形状で構成しても本発明の技術的思想の範囲に含まれる。本実施の形態では、はじめに円形の画素で構成される第１の画像部（４）の第１の要素（６）、第２の要素（７）について説明する。
【００３２】
第１の要素（６）及び第２の要素（７）の大きさとしては、画線または画素の短辺方向の大きさが１０〜５００μｍの範囲が適しており、望ましくは１０μｍ〜３００μｍがよい。例えば、図５（ａ）は、第１の要素（６）と第２の要素（７）が円形の画素で構成された状態を示しており、この場合、第１の要素（６）の直径（Ｄ１１）と第２の要素（７）の直径（Ｄ１２）が前述した範囲の大きさとなる。第１の要素（６）と第２の要素（７）の大きさは、同じ大きさであっても良いし、異なる大きさであっても良い。また、図５（ａ）は、第１の要素（６）と第２の要素（７）がＸ１方向にずれて一部が重なっているが、図５（ｂ）に示すように、Ｙ１方向にずれて重なっても良い。
【００３３】
図６（ａ）は、第１の要素（６）と第２の要素（７）が、長方形の画素で構成された状態を示しており、この場合、第１の要素（６）の短辺方向の大きさＳ１１と第２の要素（７）の短辺方向の大きさＳ１２が前述した範囲の大きさとなる。
【００３４】
図６（ｂ）は、第１の要素（６）と第２の要素（７）が、直線で構成された状態を示しており、この場合、第１の要素（６）の短辺方向の大きさＳ１１と第２の要素（７）の短辺方向の大きさＳ１２が前述した範囲の大きさとなる。直線で構成された第１の要素（６）と第２の要素（７）が一部ずれて重なる場合は、図６（ｂ）に示すように、短辺方向にずれた配置で重なる。
【００３５】
第１の要素（６）と第２の要素（７）の大きさが、これより大きくなると拡散反射光下の観察で第１の要素（６）と第２の要素（７）が肉眼で区分けされる可能性が高くなり、等色関係が崩れ、第１の画像部（４）と第２の画像部（５）が区分けされて視認される恐れがあるため好ましくない。  
【００３６】
要素セット（８）のピッチ（Ｐ１１、Ｐ１２）は、５０μｍ〜１０００μｍ程度が適しており、望ましくは５０μｍから６００μｍ程度がよい。これは、肉眼で光沢差により画像を区分けするには、ある程度の画線面積が必要であり、これより広いと画像部を区分けするのに必要な光沢差が得られない可能性があるからである。第１の画像部（４）と第２の画像部（５）が、後述する「等色」の範囲であれば、要素セット（８）のピッチは、この範囲の中で部分的に異なっても良く、好ましくは、一定のピッチとするのが良い。
【００３７】
（第２の画像部）
図７は、第２の画像部（５）の構成を示す図である。図７（ｂ）は、図７（ａ）に示す第２の画像部（５）の一部拡大図であり、図７（ｃ）は、図７（ｂ）のＢ−Ｂ’ 線における断面図である。
【００３８】
第２の画像部（５）もまた、図７（ｂ）に示すように、一つの第１の要素（６）と一つの第２の要素（７）を対とする要素セット（８）が、複数配置される。
【００３９】
また、第２の画像部（５）に配置される要素セット（８）は、第１の要素（６）と第２の要素（７）の重なる面積が、第１の画像部（４）の第１の要素（６）と第２の要素（７）の重なる面積と異なるように形成される。図７（ｂ）及び（ｃ）では、第１の要素（６）と第２の要素（７）が重なることなく、並置して配置された状態を示しているが、第１の要素（６）と第２の要素（７）が全く重ならない構成、すなわち、重なる面積がゼロの場合も本発明でいう、第１の要素（６）と第２の要素（７）の重なる面積が異なる範囲に含まれる。
【００４０】
また、第１の画像部（４）の第１の要素（６）と第２の要素（７）の一部が重なるとき、第２の画像部（５）の第１の要素（６）と第２の要素（７）の重なる面積が多い構成でも良いし（図示せず）、第２の画像部（５）の第１の要素（６）と第２の要素（７）の重なる面積が少ない構成でも良い（図示せず）。このとき、第２の画像部（５）の第１の要素（６）と第２の要素（７）の積層の上下関係に限定はない。
【００４１】
第２の画像部（５）において、第１の要素（６）と第２の要素（７）が重なることなく、並置して配置されるとき、第１の要素（６）と第２の要素（７）の配置の関係は、図８（ａ）に示すように、Ｘ１方向にずれて配置されても良いし、図８（ｂ）に示すように、Ｙ１方向にずれて配置されても良い。また、第１の要素（６）と第２の要素（７）の一部が重なる場合については、図５で説明した配置と同様である。ただし、第１の要素（６）と第２の要素（７）の重なる面積は異なる。また、第１の画像部（４）に配置される第１の要素（６）と第２の要素（７）のずれる方向と、第２の画像部（５）に配置される第１の要素（６）と第２の要素（７）のずれる方向は異なる方向であっても良い。ただし、同じ画像部内では、第１の要素（６）と第２の要素（７）が同じ方向に同じ距離ずれた配置の要素セット（８）が配置される。
【００４２】
要素セット（８）のピッチは、以上に説明した第１の要素（６）と第２の要素（７）を配置する方向、第１の要素（６）と第２の要素（７）の重なる面積、第１の要素（６）と第２の要素（７）の大きさに応じて、隣合う要素セット同士が重ならないように、前述した範囲で適宜調整する必要がある。
【００４３】
第１の画像部（４）の第１の要素（６）と、第２の画像部（５）の第１の要素（６）の大きさは基本的に同じであり、また、第１の画像部（４）の第２の要素（７）と、第２の画像部（５）の第２の要素（７）の大きさは基本的に同じである。
【００４４】
本発明において、同じ大きさで形成された第１の要素（６）と第２の要素（７）が配置された第１の画像部（４）と第２の画像部（５）は、各要素の重なる面積が異なるが、第１の画像部（４）と第２の画像部（５）は、肉眼では等色に視認される。
【００４５】
なお、本発明において、「等色」とは、観察者が二つの観察対象を特に注意せずに一瞥した場合に、同じ色であると感じる状態のことであり、本発明では、二つの観察対象の色差ΔＥが３以下の値にある状態のことである。続いて、第１の画像部（４）と第２の画像部（５）が等色に視認される理由について説明する。
【００４６】
例えば、図４（ｃ）に示す第１の要素（６）の上に第２の要素（７）が完全に重なるように形成された第１の画像部（４）は、色材の減法混色によって第１の色材と第２の色材の色が混色した色で視認できる。
【００４７】
これに対して、図７（ｃ）に示す第１の要素（６）と第２の要素（７）が並置して配置された第２の画像部（５）は、要素同士が重ならないため２色の色材の色は混色しないが、前述した範囲の大きさで第１の要素（６）と第２の要素（７）が形成されることで、人間の目視では、第１の要素（６）と第２の要素（７）を区別することができず、第１の要素（６）の色と第２の要素（７）の色が、加法混色により混ざって見える。結果的に、第１の画像部（４）と第２の画像部（５）は、肉眼ではほぼ同じ色成分の色が見えることで等色として視認されることになる。
【００４８】
ただし、以上説明したように、第１の画像部（４）と第２の画像部（５）の混色の原理が異なるため、用いる基材の定着特性、基材色、色材の着色力、隠蔽性等により同じ大きさの第１の要素（６）と第２の要素（７）を第１の画像部（４）と第２の画像部（５）に配置したときに、第１の画像部（４）と第２の画像部（５）が、肉眼で等色関係にならないこともあるため、その場合には要素の大きさ、形状、配置間隔、配置するピッチ等を適宜調整することで等色にする必要がある。
【００４９】
第１の画像部（４）の第１の要素（６）と第２の要素（７）の重なる面積に対して、第２の画像部（５）の第１の要素（６）と第２の要素（７）の重なる面積が異なる他の構成の例を図９に示す。第１の要素（６）と第２の要素（７）が同一形状、同一面積である正方形を一例として説明する。図９（ａ）は第１の画像部（４）の要素セットが完全に重なっている場合に、第２の画像部（５）の要素セットの位置関係の一例を示し、図内の数字は要素セットの重なる面積の割合を示したもので完全に重なっている場合を１とし、全く重なっていない場合を０として示している。同様に、図９（ｂ）には第２の画像部（５）の要素セットが全く重なっていない場合の、第１の画像部（４）の要素セットの位置関係の一例を示している。本発明において、第１の画像部（４）と第２の画像部（５）の光沢差が得られる効果が高い組み合わせは、重なる面積の割合の差が１のときであり好ましいが、重なる面積の割合の差の設計は、図９に示す例に限らず光沢差が得られる効果のある範囲内で適宜設定すればよい。  
【００５０】
以上説明したように、本発明において第１の画像部（４）と第２の画像部（５）は、第１の要素（６）と第２の要素（７）の重なる面積が異なる構成であれば良いが、以降の説明では、第１の画像部（４）の第１の要素（６）と第２の要素（７）が完全に重なり、第２の画像部（５）の第１の要素（６）と第２の要素（７）が重ならない構成で説明する。    
【００５１】
次に第１の画像部（４）と第２の画像部（５）で光沢差が生じる原理について説明する。図１０は、それぞれの画像部の要素セットの定着状態を示す模式図である。図１０（ａ）は第１の画像部（４）の要素セットの定着前の模式図、図１０（ｂ）は第２の画像部（５）の要素セットの定着前の模式図を示す。それぞれの要素セットは、定着前はトナーが基材に対して積載されているだけの状態である。
【００５２】
図１１に電子写真方式の印刷機における定着工程の模式図を示す。トナーが積載された基材（２）は定着ロール１（Ｔ１）及び定着ロール２（Ｔ２）の間を通ることで、加熱・加圧され、トナーが溶融し、加圧により基材（２）に定着される。
【００５３】
このとき、第１の画像部（４）において、第１の要素（６）と第２の要素（７）が重なる領域は、第１の色材と第２の色材が積載されており、定着ロールの加熱によって溶融する樹脂の量は、２つの色材を合わせた分となり、溶融した樹脂が加圧されることで、色材表面の平滑性が向上する。一方、第２の画像部（５）においては、第１の要素（６）と第２の要素（７）が、重ならず配置されており、定着ロールの加熱によって溶融する樹脂の量は、各要素毎に、各要素を形成する色材分のみであり、定着ロールの加熱によって溶融する樹脂の量が少なく、基材表面に沿って定着するのみで基材の平滑性の影響を受けることにより、色材表面の平滑性は第１の画像部（４）に比べて劣る。
【００５４】
このように、本発明の印刷物（１）は、着色顔料、樹脂等を含むトナーが定着工程により、加熱及び加圧されることでトナー中の樹脂が溶融し、画像を形成している画線部の表面に平滑性が付与され樹脂の光沢感が得られる。
【００５５】
以上、光沢差が得られる原理により、本発明の光沢差を得るためには基材の平滑度はベック平滑度で４０秒以下が望ましい。また、定着工程における加熱加圧による平滑度の変化が少ないことが望ましい。
【００５６】
図１２（ａ）及び図１２（ｂ）は図１１に示すような定着工程を経て基材（２）にトナーが定着した後の状態を示す模式図である。第１の画像部（４）の要素セットの定着後の模式図を図１２（ａ）、第２の画像部（５）の要素セットの定着後の模式図を図１２（ｂ）に示す。図１２（ａ）に示すように、第１の画像部（４）は、第１の要素（６）と第２の要素（７）が重なることで、定着ロールの加熱によって溶融する樹脂の量が多く、定着後の画線部表面は平滑になり、高光沢となる。一方、図１２（ｂ）に示すように、第２の画像部（５）の要素セットにおける第１の要素（６）と第２の要素（７）は全く重なっていないため、定着ロールの加熱によって溶融する樹脂の量が少なく、定着後の画線部表面は第１の画像部（４）と比べて粗く、光が散乱し第１の画像部（４）より低光沢となる。
【００５７】
以上の構成で成る印刷物（１）は、正面から観察した場合、第１の画像部（４）と第２の画像部（５）は等色関係にあるため、また、平滑性の差は正面からは感じられないため、区分けされず、図３（ａ）に示すように、印刷画像（３）が一様な模様として視認される。また、印刷物（１）を傾けて観察した場合、第１の画像部（４）と第２の画像部（５）の色材の表面の平滑性の違いにより正反射光量に差が生じるため、図３（ｂ）に示すように、画線部表面の平滑性の高い第１の画像部（４）がより光沢のある画像として視認でき、第１の画像部（４）と第２の画像部（５）が区分けすることができる。
【００５８】
なお、第１の画像部（４）と第２の画像部（５）において、第１の要素（６）と第２の要素（７）が重なる場合、第１の要素（６）と第２の要素（７）が重なる領域は共に平滑性は上がるが、第１の画像部（４）と第２の画像部（５）は、第１の要素（４）と第２の要素（７）の重なる面積が異なり、第１の画像部（４）と第２の画像部（５）の一つの要素セット（８）同士で比較したときに、平滑性の高い部分の面積の差があるため、その差が光沢差として表れる。また、第２の画像部（５）の第１の要素（６）と第２の要素（７）の重なる面積が第１の画像部（４）より多くした場合には、第２の画像部（５）の画線部表面の平滑性が第１の画像部（４）より高くなり、第２の画像部（５）がより光沢のある画像として視認できる（図示せず）。
【００５９】
本発明の印刷画像（３）の形成方法としては、前述したトナーを基材（２）に積層し、次に、熱と圧力を加える。熱と圧力を加える工程についても特に限定はないが、カラーレーザプリンタによる定着工程は、基材に転写された色材を含むトナーを加熱圧着により色材を基材に定着させる方式が一般的であるため、レーザープリンタを用いれば、一度のプロセスで画像形成から加熱、加圧工程を経て印刷画像（３）を形成することができる。
【００６０】
以上の構成は、２色の色材で印刷画像（３）が形成された印刷物（１）であるが、更に、基材（２）と異なる色のｎ色（ｎは３以上の整数）の色材を用いて第１の要素乃至第ｎの要素で構成された印刷画像（３）を形成しても良い。ここでは、一例として３色の色材から成る第１の要素乃至第３の要素によって、印刷画像（３）が形成される形態について説明する。なお、以下に説明する三つの色材で印刷画像（３）が形成される印刷物（１）において、各要素の大きさ、要素セットのピッチについては、前述した印刷物の構成と同様であるため説明を省略する。
【００６１】
印刷画像（３）は、図１３に示すように、第１の色材から成る第１の要素（６）と、第２の色材から成る第２の要素（７）と、基材（２）、第１の色材及び第２の色材と異なる色の第３の色材から成る第３の要素（１０）を対とする要素セット（８）が複数配置されて成る。第３の要素（１０）の構成は、第１の要素（６）及び第２の要素（７）に対して、色が異なるのみであり、その他の構成は同じである。
【００６２】
（第１の画像部）
図１４は、第１の画像部（４）の構成を示す図である。図１４（ｂ）は、図１４（ａ）に示す第１の画像部（４）の一部拡大図であり、図１４（ｃ）は、図１４（ｂ）のＡ−Ａ’ 線における断面図である。
【００６３】
本実施の形態では、長方形の画素で構成される第１の要素（６）、第２の要素（７）及び第３の要素（１０）について説明する。
【００６４】
第１の画像部（４）は、また、図１４（ｃ）に示すように、一つの要素セット（８）において、第１の要素（６）と第２の要素（７）、第３の要素（１０）が重なるように形成される。図１４（ｂ）及び（ｃ）では、第１の要素（６）と第２の要素（７）、第３の要素（１０）が完全に重なっている状態を示しているが、一部が重なる構成でも良い。また、図１４（ｃ）では第１の要素（６）の上に、第２の要素（７）と第３の要素（１０）が重なっているが、本発明において、第１の要素（６）と第２の要素（７）と第３の要素（１０）の積層の上下関係に限定はない。  
【００６５】
（第２の画像部）
図１５は、第２の画像部（５）の構成を示す図である。図１５（ｂ）は、図１５（ａ）に示す第２の画像部（５）の一部拡大図であり、図１５（ｃ）は、図１５（ｂ）のＢ−Ｂ’ 線における断面図である。
【００６６】
第２の画像部（５）は、第１の要素（６）と第２の要素（７）と第３の要素（１０）の重なる面積が、第１の画像部（４）の第１の要素（６）と第２の要素（７）と第３の要素（１０）の重なる面積と異なるように形成される。図１５（ｂ）及び（ｃ）では、第２の画像部（５）の第１の要素（６）と第２の要素（７）と第３の要素（１０）が重なることなく、並置して配置された状態を示しているが、第２の画像部（５）の第１の要素（６）と第２の要素（７）と第３の要素（１０）が全く重ならない構成、すなわち、重なる面積がゼロの場合も本発明でいう、第１の要素（６）と第２の要素（７）と第３の要素（１０）の重なる面積が異なる範囲に含まれる。
【００６７】
また、第１の画像部（４）で第１の要素（６）と第２の要素（７）と第３の要素（１０）の一部が重なるとき、第２の画像部（５）の第１の要素（６）と第２の要素（７）と第３の要素（１０）の重なる面積が多い構成でも良いし（図示せず）、第２の画像部（５）の第１の要素（６）と第２の要素（７）の重なる面積が少ない構成でも良い（図示せず）。このとき、第２の画像部（５）の第１の要素（６）と第２の要素（７）と第３の要素（１０）の積層の上下関係に限定はない。
【００６８】
ここで、第１の画像部（４）と第２の画像部（５）において、各要素が重なる配置の例について説明する。図１６（ａ）は、第１の要素（６）と第２の要素（７）と第３の要素（１０）の一部が互いに重なる状態を示す図である。図１６（ｂ）は、第１の要素（６）の一部に第２の要素（７）の一部が重なり、第１の要素（６）の一部に第３の要素（１０）が完全に重なる状態を示す図である。図１６（ｃ）は、第１の要素（６）の一部に第２の要素（７）の一部と第３の要素（１０）の一部が重なる状態を示す図である。図１６（ｄ）は、第１の要素（６）の一部に第２の要素（７）の一部が重なり、第２の要素（７）の一部に第３の要素（１０）の一部が重なる状態を示す図である。三つの色材によって印刷画像（３）が形成される場合、各要素の配置は、図１４乃至図１６に示す例に限定されるものではない。第３の要素（１０）は、第１の画像部（４）及び第２の画像部（５）のうち、少なくとも一方の画像部に配置される要素セット（８）の、他の要素の少なくとも一部に重なれば良い。このように第３の要素（１０）が重なることによって、第３の要素（１０）を形成する色材に含まれる樹脂が、第１の画像部（４）と第２の画像部（５）の光沢差に寄与することとなる。
【００６９】
ここでは、第１の要素（６）、第二の要素（７）及び第３の要素（１０）の三つの要素が配置される構成について説明したが、更に、第４の要素より多くの要素を形成する場合、第３の要素（１０）と同様に、第１の画像部（４）及び第２の画像部（５）のうち、少なくとも一方の画像部に配置される要素セット（８）の、他の要素の少なくとも一部に重なるように配置すれば良い。
【００７０】
実施の形態１と同様に、各画像部において、第１の要素（６）と第２の要素（７）と第３の要素（１０）の位置関係は、図１４及び図１６に示す例に限定されるものではないが、同じ画像部内では、第１の要素（６）と第２の要素（７）と第３の要素（１０）の位置関係を同じとする要素セットが配置される。
【００７１】
続いて、第１の画像部（４）の第１の要素（６）と第２の要素（７）と第３の要素（１０）の重なる面積に対して、第２の画像部（５）の第１の要素（６）と第２の要素（７）と第３の要素（１０）の重なる面積が異なる構成の例を図１７に示す。第１の要素（６）の大きさを１とした時、第２の要素（７）と第３の要素（１０）が０．５である場合を一例として説明する。
【００７２】
図１７（ａ）は第１の画像部（４）の要素セットが完全に重なっている場合に、第２の画像部（５）の要素セットの位置関係の一例を示し、図内の数字は要素セットの重なる面積の割合を示したもので完全に重なっている場合を１とし、全く重なっていない場合を０として示している。同様に、図１７（ｂ）には第２の画像部（５）の要素セットが全く重なっていない場合の、第１の画像部（４）の要素セットの位置関係の一例を示している。本発明において、光沢差が得られる効果が高い組み合わせは、重なる面積の割合の差が１のときであり好ましいが、重なる面積の割合の差の設計は、図１７に示す例に限らず光沢差が得られる効果のある範囲内で適宜設定すればよい。
【００７３】
この形態においても、各画像部に配置する第１の要素（６）同士、第２の要素（７）同士、第３の要素（１０）同士の大きさは基本的に同じである。このような構成とすることで第１の画像部（４）と第２の画像部（５）は等色に形成される。ただし、前述したように、用いる基材の定着特性、基材色、色材の着色力、隠蔽性等により、第１の画像部（４）と第２の画像部（５）が、肉眼で等色関係にならないこともあるため、その場合には要素の大きさ、形状、配置間隔、配置するピッチ等を適宜調整することで等色にする必要がある。
【００７４】
図１７（ａ）に示す例で各要素が重なる配置の印刷物（１）の定着工程において、第１の画像部（４）の、第１の要素（６）の上に第２の要素（７）が重なる領域は、第１の色材と第２の色材を合わせた分の樹脂が溶融し、第１の要素（６）の上に第３の要素（１０）が重なる領域は、第１の色材と第３の色材を合わせた分の樹脂が溶融し、溶融した樹脂が加圧されることで、色材表面の平滑性が向上する。一方、第２の画像部（５）において、例えば、第１の要素（６）と第２の要素（７）と第３の要素（１０）が、重ならず配置された場合、定着ロールの加熱によって溶融する樹脂の量は、各要素毎に、各要素を形成する色材分のみであり、定着ロールの加熱によって溶融する樹脂の量が少なく、基材表面に沿って定着するのみで基材の平滑性の影響を受けることにより、色材表面の平滑性は第１の画像部（４）に比べて劣る。また、図１７（ａ）に示す第２の画像部（５）の例において、第１の要素（６）の一部に第２の要素（７）及び／又は第３の要素（１０）が重なる場合、各要素が重なる領域は、色材表面の平滑性が向上するが、第１の画像部（４）と第２の画像部（５）の一つの要素セット（８）同士で比較したときに、平滑性の高い部分の面積の差があるため、第１の画像部（４）と第２の画像部（５）に光沢差が生じる。
【００７５】
以上の構成で成る印刷画像（３）を、カラーレーザプリンタで形成した印刷物（１）は、正面（Ｅ１の観察位置）から観察した場合、第１の画像部（４）と第２の画像部（５）は等色関係にあるため、また、平滑性の差は正面からは感じられないため、区分けされず、図１８（ａ）に示すように、各要素の色材が混色した一様な模様が視認される。また、印刷物（１）を傾けて（Ｅ２の観察位置）観察した場合、第１の画像部（４）と第２の画像部（５）の色材の表面の平滑性の違いにより正反射光量に差が生じるため、図１８（ｂ）に示すように、画線部表面の平滑性の高い第１の画像部（４）がより光沢のある画像として視認でき、第１の画像部（４）と第２の画像部（５）が区分けすることができる。  
【００７６】
この形態の印刷物（１）は、前述した２色の色材で印刷画像が形成された印刷物に対して、色材の種類が多いため、第１の要素（６）、第２の要素（７）第３の要素（１０）の大きさを適宜調整することで色彩豊富な印刷画像（３）を形成することができる。
【００７７】
また、実施の形態１において、３色の色材で印刷画像（３）が形成される構成まで説明したが、更に、第１の色材乃至第３の色材と異なる色の第ｎの色材から成る第ｎの要素を対とした要素セットを配置し、第１の画像部（４）と第２の画像部（５）に配置される各要素の重なる面積を異ならせて形成することで、光沢効果のある印刷物（１）の色彩を豊富にすることができる。
【００７８】
（実施の形態２）
次に、印刷画像（３）に、正面から観察した場合に視認できる有意味な模様（２０）を付与した実施の形態２について説明する。実施の形態１では正面から観察される画像は一様な模様であったが、実施の形態２では図１９に示すように、印刷画像（３）に付与する有意味な模様の一例として「流水の模様」を用いた。    
【００７９】
図２０に示すように、第１の画像部（４）と第２の画像部（５）には有意味な模様（２０）を含む構成となっている。次に、有意味な模様（２０）の構成について説明する。本実施の形態では、実施の形態１の２色の色材から成る第１の要素と第２の要素で印刷画像（３）が構成されている形態を基本として説明する。このため、詳細な内容は実施の形態１と同様であり、本実施の形態では、印刷画像（３）として有意味な模様（２０）を付与するための構成についてのみ詳細に説明する。    
【００８０】
正面から観察した場合に観察できる画像として、第１の画像部（４）及び第２の画像部（５）の要素セットの配置を、有意味な模様（２０）である「流水の模様」の部分については位相をずらすことで表現した。図２１（ａ）に示す第１の画像部（４）と第２の画像部（５）の境界部分の一部を拡大した図を図２１（ｂ）に示す。各画像部は実施の形態１と同様に、２色の色材を用いて第１の要素（６）と第２の要素（７）で形成される構成であり、要素セット（８）は、Ｘ１方向にピッチ（Ｐ１２）、Ｙ１方向にピッチ（Ｐ１１）で配置されている。各要素セットの重なる面積も実施の形態１での説明と同様である。
【００８１】
本発明において位相をずらすとは、図２１に示すＸ１方向に要素セットが配置された状態の要素セットの位置を基準として、Ｙ１方向に、要素セットの位置がずれることであり、「流水の模様」は、「流水の模様」がない部分より位相がＰｈ１（＝Ｐｈ２）ずれて配置されている。
【００８２】
以上の構成で成る印刷画像（３）を、カラーレーザプリンタで形成した本実施の形態の印刷物（１）は、図２２に示すように、正面（Ｅ１の観察位置）から観察した場合、第１の画像部（４）と第２の画像部（５）は等色関係にあるため、また、平滑性の差は正面からは感じられないため、区分けされず、図２２（ａ）に示すように、位相をずらすことで表現された「流水の模様」が視認される。また、印刷物（１）を傾けて（Ｅ２の観察位置）観察した場合、図２２（ｂ）に示すように、第１の画像部（４）と第２の画像部（５）の色材の表面の平滑性の違いにより正反射光量に差が生じるため、画線部表面の平滑性の高い第１の画像部（４）がより光沢のある画像として視認でき、第１の画像部（４）と第２の画像部（５）が区分けすることができる。
【００８３】
実施の形態２の印刷物（１）の例では、有意味な模様（２０）として「流水の模様」を用いているが、有意味な模様（２０）は、他の模様であっても良いし、文字、数字、記号、図形、マーク及び図形のいずれか又はその組み合わせで形成されても良い。
【００８４】
また、実施の形態２の印刷物（１）の例では、第１の画像部（４）と第２の画像部（５）が「流水の模様」を含んでいるが、一方の画像部のみの要素セットの位相をずらして、有意味な模様（２０）を形成しても良い。
【００８５】
実施の形態２は、実施の形態１の２色の色材から成る第１の要素と第２の要素で印刷画像（３）が構成されている形態を基に説明したが、３色の色材、更にはｎ色の色材から成る第１の要素乃至第ｎの要素で印刷画像（３）が構成される形態においても、要素セット（８）の位相をずらすことによって、印刷画像（３）に有意味な模様（２０）を形成することが可能である。
【００８６】
（実施の形態３）
続いて、実施の形態１の印刷画像（３）に加えて、正面から観察した場合に視認できる有意味な情報画像（３０）を付与した実施の形態３について説明する。実施の形態３においても図２３に示すように、有意味な情報画像（３０）として、「流水の模様」を用いた。
【００８７】
実施の形態３の印刷物（１）は、基材（２）に、図２４（ｂ）に示す第１の画像部（４）と第２の画像部（５）から成る印刷画像（３）と、図２４（ｃ）に示す情報画像（３０）が形成される構成となっている。次に、情報画像（３０）の構成について説明する。本実施の形態では、実施の形態１の３色の色材から成る第１の要素と第２の要素と第３の要素で印刷画像（３）が構成されている形態を基本として説明する。このため、詳細な内容は実施の形態１と同様であり、本実施の形態では、有意味な情報画像（３０）を付与するための構成についてのみ詳細に説明する。    
【００８８】
正面から観察した場合に観察できる情報画像（３０）を形成するため、印刷画像（３）の各画像部の各要素に重ならない位置に、基材（２）と異なる色の情報要素（３１）を印刷して表現した。なお、情報要素（３１）は、画素及び画線の一方又はその組み合わせで構成され、画素と画線については前述したとおりであり、図２５は情報要素（３１）が画素で構成される状態を示している。情報要素（３１）の大きさは、要素セット（８）を構成する各要素と重ならないように配置されれば、特に限定はない。
【００８９】
図２５（ａ）に第１の画像部（４）の一部を拡大した図を示し、図２５（ｂ）に第２の画像部（５）の一部を拡大した図を示す。各画像部は実施の形態１と同様に３色の色材を用いて第１の要素（６）と第２の要素（７）と第３の要素（１０）で形成される構成とした。各要素セット（８）の重なる面積の割合も実施の形態１での説明と同様である。
【００９０】
情報要素（３１）を形成する色材は、特に限定されるものではなく、印刷画像（３）を構成する各要素を形成する色材の一つを用いても良いし、各要素を形成する色材と異なる色の色材を用いても良い。また、情報要素（３１）を形成する色材はトナーの他に、オフセットインキ、フレキソインキ等を用いることができ、色材の色は、表現したい絵柄に応じて選択すればよい。ただし、情報要素（３１）は各要素と重ならない位置を用いて表現するため、各要素を配置するピッチは、基材を色材で完全に覆わないようなピッチで配置し、模様を配置する領域を設けておく必要がある。
【００９１】
以上の構成で成る印刷画像（３）を、カラーレーザプリンタで形成した本実施の形態の印刷物（１）は、図２６に示すように、正面（Ｅ１の観察位置）から観察した場合、第１の画像部（４）と第２の画像部（５）は等色関係にあるため、また、平滑性の差は正面からは感じられないため、区分けされず、情報要素（３１）の配置の有無による面積率の差又は色の差によって、図２６（ａ）に示すように、「流水の模様」が視認される。また、印刷物（１）を傾けて（Ｅ２の観察位置）観察した場合、図２６（ｂ）に示すように、第１の画像部（４）と第２の画像部（５）の色材の表面の平滑性の違いにより正反射光量に差が生じるため、画線部表面の平滑性の高い第１の画像部（４）がより光沢のある画像として視認でき、第１の画像部（４）と第２の画像部（５）が区分けすることができる。
【００９２】
以下、実施例を用いて本発明をさらに具体的に説明するが、本発明を限定するものではない。
【００９３】
（実施例１）
図１に示す印刷物（１）を作製した。基材（２）にはベック平滑度３０秒の白色用紙を使用し、カラーレーザプリンタ（ＯＫＩ  ＭＩＣＲＯＬＩＮＥ５４００）を用いて画像を形成した。
【００９４】
第１の画像部（４）の要素及び第２の画像部（５）の要素は、以下に示す構成で形成した。第１の画像部（４）の構成として、第１の画像部（４）の第１の要素（６）を直径１５０μｍの円形ドットでシアントナーを用いて形成し、第１の画像部（４）の第２の要素（７）を同じく直径１５０μｍの円形ドットでマゼンタトナーを用いて形成し、図４のように第１の要素（６）と第２の要素（７）を完全に重ねて配置した。配置するピッチはＰ１１及びＰ１２を４００μｍとした。
【００９５】
第２の画像部（５）の構成として、第２の画像部（５）の第１の要素（６）を第１の画像部（４）の第１の要素（６）と同じ直径１５０μｍの円形ドットでシアントナーを用いて形成し、第２の画像部（５）の第２の要素（７）を第１の画像部（４）の第２の要素（７）と同じ直径１５０μｍの円形ドットでマゼンタトナーを用いて形成し、図８（ａ）のように第１の要素（６）と第２の要素（７）を並置して配置した。配置するピッチはＰ１１及びＰ１２を４００μｍとした。
【００９６】
実施例１で形成した印刷物（１）を正面から観察すると、第１の画像部（４）と第２の画像部（５）ともに、第１の色材であるシアントナーと第２の色材であるマゼンタトナーが混色した淡い青紫色で等色に観察できた。さらに、正反射光下で観察すると、第１の画像部（４）は高光沢で観察され、第２の画像部（５）は第１の画像部（４）より低光沢で観察され、桜の模様が区分けして視認できた。
【００９７】
（実施例２）      
図１９に示す本発明の実施の形態２の印刷物（１）を作製した。基材（２）にはベック平滑度１０秒の白色用紙を使用し、カラーレーザプリンタ（ＲＩＣＯＨ  ＩＰＳｉＯ  ＳＰ  Ｃ４２０）を用いて画像を形成した。
【００９８】
第１の画像部（４）の要素及び第２の画像部（５）の要素は、図７に示す構成で形成した。第１の画像部（４）の構成として、第１の画像部（４）の第１の要素（６）を短辺方向の大きさ（Ｓ１１）１００μｍ、長辺方向の大きさ（Ｌ１１）５００μｍの長方形の画素とし、イエロートナーを用いて形成し、第１の画像部（４）の第２の要素（７）を同じく短辺方向の大きさ（Ｓ１２）１００μｍ、長辺方向の大きさ（Ｌ１２）５０００μｍの長方形の画素とし、シアントナーを用いて形成し、第１の要素（６）と第２の要素（７）を完全に重ねて配置した。配置するピッチはＰ１１を５００μｍ、Ｐ１２を１０００μｍとした。
【００９９】
第２の画像部（５）の構成として、第２の画像部（５）の第１の要素（６）を第１の画像部（４）の第１の要素（６）と同じ大きさの長方形の画素とし、イエロートナーを用いて形成し、第２の画像部（５）の第２の要素（７）を第１の画像部（４）の第２の要素（７）と同じ大きさの長方形の画素とし、シアントナーを用いて形成し、第１の要素（６）と第２の要素（７）を短辺方向に並置して配置した。配置するピッチはＰ１１を５００μｍ、Ｐ１２を１０００μｍとした。
【０１００】
印刷画像（３）に付与する有意味な模様（２０）を流水の模様とし、流水模様は、図２１に示す第１の画像部（４）の要素セット（８）と第２の画像部（５）の要素セット（８）の配置するピッチの位相Ｐｈ１（＝Ｐｈ２）を２５０μｍずらすことで表現した。
【０１０１】
実施例２で形成した印刷物（１）を正面から観察すると、第１の色材であるイエロートナーと第２の色材であるシアントナーが混色した淡い緑色の流水の模様が観察できた。さらに、正反射光下で観察すると、第１の画像部（４）は高光沢で観察され、第２の画像部は第１の画像部（４）より低光沢で観察され、桜の模様が区分けして視認できた。
【０１０２】
（実施例３）    
図２３に示す本発明の実施の形態３の印刷物を作製した。基材（２）にはベック平滑度１０秒の白色用紙を使用し、カラーレーザプリンタ（ＲＩＣＯＨ  ＩＰＳｉＯ  ＳＰ  Ｃ４２０）を用いて画像を形成した。  
【０１０３】
第１の画像部（４）の要素及び第２の画像部（５）の要素は、図１６に示す構成で形成した。第１の画像部（４）の構成として、第１の画像部（４）の第１の要素（６）を短辺方向の大きさ（Ｓ１１）１００μｍ、長辺方向の大きさ（Ｌ１１）８００μｍの長方形の画素とし、マゼンタトナーを用いて形成し、第１の画像部（４）の第２の要素（７）を短辺方向の大きさ（Ｓ１２）１００μｍ、長辺方向の大きさ（Ｌ１２）６００μｍの長方形の画素とし、シアントナーを用いて形成し、第１の画像部（４）の第３の要素（１０）を短辺方向の大きさ（Ｓ１３）１００μｍ、長辺方向の大きさ（Ｌ１３）２００μｍの長方形の画素とし、イエロートナーを用いて形成し、第１の要素（６）に第２の要素（７）と第３の要素（１０）を図２５（ａ）のように完全に重ねて配置した。配置するピッチはＰ１１を６００μｍ、Ｐ１２を１０００μｍとした。
【０１０４】
第２の画像部（５）の構成として、第２の画像部（５）の第１の要素（８）を第１の画像部（４）の第１の要素（６）と同じ大きさの長方形の画素とし、マゼンタトナーを用いて形成し、第２の画像部（５）の第２の要素（９）を第１の画像部（４）の第２の要素（７）と同じ大きさの長方形の画素とし、シアントナーを用いて形成し、第２の画像部（５）の第３の要素（１１）を第１の画像部（４）の第３の要素（１０）と同じ大きさの長方形の画素とし、イエロートナーを用いて形成し、第１の要素（８）と第２の要素（９）と第３の要素（１１）は図２５（ｂ）のように並置して配置した。配置するピッチはＰ１１を６００μｍ、Ｐ１２を１０００μｍとした。
【０１０５】
情報画像（３０）である流水の模様を形成するため、第１の画像部（４）の要素と第２の画像部（５）の要素と重ならない部分に、ブラックトナーにより情報要素（３１）を網点面積率５％で形成した。
【０１０６】
実施例３で形成した印刷物（１）を正面から観察すると、第１の色材であるマゼンタトナーと第２の色材であるシアントナーと第３の色材であるイエロートナーが混色した淡い紫色の中に淡いグレーの流水の模様が観察できた。さらに、正反射光下で観察すると、第１の画像部（４）は高光沢で観察され、第２の画像部は第１の画像部（４）より低光沢で観察され、桜の模様が区分けして視認できた。
【０１０７】
以上、本発明にかかる実施例に基づいて実施の形態を説明したが、上記実施例に限定されることなく特許請求の範囲記載の技術思想の範囲内で、さらにいろいろと実施例があることは言うまでもない。
【符号の説明】
【０１０８】
１  印刷物
２  基材
３  印刷画像
４  第１の画像部
５  第２の画像部
６  第１の要素
７  第２の要素
８  要素セット
１０  第３の要素
２０  有意味な模様
３０  情報画像
３１  情報要素
【図１】
2014204408.tif 000003
【図２】
2014204408.tif 000004
【図３】
2014204408.tif 000005
【図４】
2014204408.tif 000006
【図５】
2014204408.tif 000007
【図６】
2014204408.tif 000008
【図７】
2014204408.tif 000009
【図８】
2014204408.tif 000010
【図９】
2014204408.tif 000011
【図１０】
2014204408.tif 000012
【図１１】
2014204408.tif 000013
【図１２】
2014204408.tif 000014
【図１３】
2014204408.tif 000015
【図１４】
2014204408.tif 000016
【図１５】
2014204408.tif 000017
【図１６】
2014204408.tif 000018
【図１７】
2014204408.tif 000019
【図１８】
2014204408.tif 000020
【図１９】
2014204408.tif 000021
【図２０】
2014204408.tif 000022
【図２１】
2014204408.tif 000023
【図２２】
2014204408.tif 000024
【図２３】
2014204408.tif 000025
【図２４】
2014204408.tif 000026
【図２５】
2014204408.tif 000027
【図２６】
2014204408.tif 000028